(57)【要約】      （修正有）【課題】生理用ショーツと生理用パットのペアで使用する、優れた生理用品で、いままでの使用方法と全く違い、ただ張るだけの簡単な生理用品ペアセットを提供する。【解決手段】生理用ショーツに穴が空いており、内側が漏れにくい２重の襞が付いて、外側の一部に平面ファスナーが付いているベアセットである。生理中は生理用ショーツを履いたままでも、穴が空いている為に小便の方は何回でもできる。生理用ショーツは、朝と夜交換が必要である。（衛生の為）【選択図】図２
2005270605.tif 000002
【特許請求の範囲】
【請求項１】
生理用ショーツ（ウステリア）に穴が空いており、内側が漏れにくい２重の襞が付いて、外側の一部にマジックテープ（凹）が付いているペアセット。
【請求項２】
生理用パット（ヘルプ）の裏側が２重の襞が付き漏れにくい、周り全体にマジックテープ（凸）が付いているペアセット。
【発明の詳細な説明】
【発明の詳細な説明】
【技術分野】
【０００１】  本発明は、生理用ショーツ（ウステリア）に穴が空いており、生理用パット（ヘルプ）をテープの部分に貼り付けるだけの簡単なワンタッチ方式です。
【背景技術】
【０００２】  従来、生理用パットは生理用ショーツの中に入れている為に交換するたびに、時間がかかったのと、生理用ショーツにも生理用パットにも襞が付いていない為に漏れやすかった。
【発明を実施するための最良の形態】  本発明は、女性だけが利用する物でありますが、たまたま男性の私が夢を見まして、（その女性が利用していたのがきっかけです）この世にまだ市販されていない製品だったので、是非女性のために協力しょうと思い提供しました。
【発明の効果】
【０００３】  このようにすれば、女性の悩み（パットの交換が早く他の人に気が付かれにくい、漏れにくい、ずれない、夜も安心）特に２日目の経血の多い日は効果が発揮でき便利である。
【図面の簡単な説明】
【図１】生理用ショーツ（穴の空いたウステリア）です。安全保護カバーを外した状態です。
【符号の説明】
１  穴の部分
２  マジックテープ（凹）の部分
３  裏の部分（内側）と表の部分（外側）の襞
４  前方部分
５  後方部分
【図２】
生理用ショーツに安全保護カバーを取り付け、間に生理用パット（ヘルプ）を取り付けた状態です。
【符号の説明】
１  安全保護カバー
２  生理用パット（ヘルプ）
３  安全保護カバーを留め縫い
４  前方部分
５  後方部分
６  マジックテープ留め
【図３】
生理用パット（ヘルプ）です。
【符号の説明】
１  生理用パット（ヘルプ）
２  マジックテープ（凸）部分
【図１】
2005270605.tif 000003
【図２】
2005270605.tif 000004
【図３】
2005270605.tif 000005
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
股部分に穴が空いており、該穴の部分の外側に面ファスナーが付いている生理用ショーツと、前記穴の部分を覆う本体部分の周囲に前記生理用ショーツの面ファスナーと係合する面ファスナーが付いている生理用パットとを組み合わせたことを特徴とする生理用品ペアセット。
【請求項２】
穴が空いており、内側が漏れにくい２重の襞が付いて、外側の一部に面ファスナーが付いている生理用ショーツと、裏側が２重の襞が付き漏れにくい、周り全体に面ファスナーが付いている生理用パットとを組み合わせたことを特徴とする生理用品ペアセット。
【手続補正２】
【補正対象書類名】明細書
【補正対象項目名】全文
【補正方法】変更
【補正の内容】
【発明の詳細な説明】
【技術分野】
【０００１】
本発明は、生理用ショーツに穴が空いており、生理用パットを面ファスナーの部分に貼り付けるだけの簡単なワンタッチ方式の生理用品ペアセットに関する。
【背景技術】
【０００２】
従来、生理用パットは生理用ショーツの中に入れている為に交換するたびに、時間がかかったのと、生理用ショーツにも生理用パットにも襞が付いていない為漏れやすかった。
【発明の開示】
【発明が解決しようとする課題】
【０００３】
本発明は、生理用ショーツを履いたままで生理用パットの交換ができ、しかも漏れない生理用品ペアセットを提供することを目的とする。
【課題を解決するための手段】
【０００４】
本発明の生理用品ペアセットは、股部分に穴が空いており、該穴の部分の外側に面ファスナーが付いている生理用ショーツと、前記穴の部分を覆う本体部分の周囲に前記生理用ショーツの面ファスナーと係合する面ファスナーが付いている生理用パットとを組み合わせたものである。
本発明の生理用品ペアセットは、穴が空いており、内側が漏れにくい２重の襞が付いて、外側の一部に面ファスナーが付いている生理用ショーツと、裏側が２重の襞が付き漏れにくい、周り全体に面ファスナーが付いている生理用パットとを組み合わせたものである。
【発明の効果】
【０００５】
このようにすれば、女性の悩み（パットの交換が早く他の人に気が付かれにくい、漏れにくい、ずれない、夜も安心）特に２日目の経血の多い日は効果が発揮できて便利である。
【発明を実施するための最良の形態】
【０００６】
本発明の生理用品ペアセットの一実施例を図面に基づいて、以下に説明する。
図１は、生理用ショーツの股部分を正面に表わした概略説明図である。
１は生理用ショーツの股部分に形成した生理用パットより小さい矩形状の穴の部分、２は前記穴の部分の外周囲に生理用パットの大きさで取り付けた面ファスナー（ループ）の部分、３は前記穴の部分の周縁に形成した２重の襞、４は下腹部を覆う生理用ショーツの前方部分、５は尻部を覆う生理用ショーツの後方部分である。
図２は、生理用パットを表わす正面図であり、６は生理用パットの本体部分、７は前記本体部分６の正面側の周縁部に形成され、前記生理用ショーツの面ファスナー（ループ）の部分２と係合するように設けられた面ファスナー（フック）の部分である。
【０００７】
次に、本発明の生理用品ペアセットの使い方を図面に基づいて、以下に説明する。
図３は、使用状態を示す生理用ショーツの股部分を正面に表わした概略説明図である。
図３に示すように、あらかじめ生理用ショーツの股部分には、穴の部分１及び生理用パットの本体部分６を覆う大きさで安全保護カバー８を設け、該安全保護カバー８は生理用ショーツの後方部分５側に縫い留め９を設けて生理用ショーツに結合すると共に生理用ショーツの前方部分４側に面ファスナーによる留め１０を設けて接離自在にする。
使用時には、前記安全保護カバー８を剥離して図１に示す穴の部分１を露出させ、図２に示す生理用パットを接合する。
その際、生理用ショーツの面ファスナーの部分２と生理用パットの面ファスナーの部分７との位置合わせをして係合する。
その後、再び前記安全保護カバー８を前記生理用パットの本体部分６を上方から覆うようにして前記前方部分４側に面ファスナーによる留め１０に接合して完了する。
生理用パットの交換の際には、前述と同様の操作により簡単に生理用ショーツに装着することができる。
【図面の簡単な説明】
【０００８】
【図１】安全保護カバーを外した状態の生理用ショーツの股部分を正面に表わした概略説明図である。
【図２】生理用パットを表わす拡大正面図である。
【図３】生理用ショーツに安全保護カバーを取り付けた状態を正面に表わした概略説明図である。
【符号の説明】
【０００９】
１  穴の部分
２  面ファスナー（ループ）の部分
３  襞
４  前方部分
５  後方部分
６  本体部分
７  面ファスナー（フック）の部分
８  安全保護カバー
９  縫い留め
１０  留め
【手続補正３】
【補正対象書類名】図面
【補正対象項目名】全図
【補正方法】変更
【補正の内容】
【図１】
2005270605.tif 000006
【図２】
2005270605.tif 000007
【図３】
2005270605.tif 000008